(57)【要約】【課題】第１の無線通信方式で待ち受けまたは情報の送受信を実施している場合に、２系統の無線部を用いて第１の無線通信方式と第２の無線通信方式で同時に通信処理を行うことができるようにする。【解決手段】本発明の移動無線端末においては、少なくとも第１の無線通信方式と第２の無線通信方式のいずれかを用いて情報の通信を行う第１の無線部と第２の無線部と、第１の無線通信方式で待ち受け中や通信中に第２の無線通信方式を起動するイベントがあった場合、制御部は、第１の無線部に第１の無線通信方式を設定するとともに第２の無線部に第２の無線通信方式を設定し、第２の無線通信方式での同期が取得された場合、第１の無線部および第２の無線部の無線通信方式を切り替え、第２の無線通信方式を用いて第１の無線部で接続が確立されるまで、第１の無線通信方式を用いて第２の無線部で待ち受けまたは同期を維持する。【選択図】  図３
2010098612.tif 000002
【特許請求の範囲】
【請求項１】
少なくとも第１の無線通信方式および第２の無線通信方式のいずれかを用いて情報の通信を行う第１の無線部と、
少なくとも前記第１の無線通信方式および前記第２の無線通信方式のいずれかを用いて情報の通信を行う第２の無線部と、
前記第１の無線通信方式で待ち受け中または情報の通信中に前記第２の無線通信方式を起動するイベントが発生した場合、前記第１の無線部に前記第１の無線通信方式を設定するとともに、前記第２の無線部に前記第２の無線通信方式を設定する設定手段と、
前記第２の無線通信方式を用いて前記第２の無線部で同期を取得する同期取得手段と、
前記同期取得手段により前記第２の無線通信方式での同期が取得された場合、前記設定手段により前記第１の無線部および前記第２の無線部に設定された無線通信方式を切り替える切り替え手段と、
前記切り替え手段により前記第１の無線部に切り替えられた前記第２の無線通信方式を用いて前記第１の無線部で接続が確立されるまで、前記切り替え手段により前記第２の無線部に切り替えられた前記第１の無線通信方式を用いて前記第２の無線部で待ち受けまたは同期を維持するように制御する通信制御手段とを備えることを特徴とする移動無線端末。
【請求項２】
前記同期取得手段により前記第２の無線通信方式での同期が取得されるまで、前記通信制御手段は、前記第１の無線部での前記第１の無線通信方式を用いた状態を維持するように制御することを特徴とする請求項１に記載の移動無線端末。
【請求項３】
前記同期取得手段により前記第２の無線通信方式での同期の取得に失敗した場合、前記通信制御手段は、前記第１の無線部での前記第１の無線通信方式を用いた待ち受けの状態または通信の状態に復帰するように制御することを特徴とする請求項１に記載の移動無線端末。
【請求項４】
前記第１の無線部に切り替えられた前記第２の無線通信方式を用いた前記第１の無線部での接続の確立に失敗した場合、前記通信制御手段は、前記第２の無線部で前記第１の無線通信方式を用いて待ち受け処理または通信処理を行うことを特徴とする請求項１に記載の移動無線端末。
【請求項５】
前記第１の無線部に切り替えられた前記第２の無線通信方式を用いて前記第１の無線部で接続が確立された場合、前記通信制御手段は、前記第２の無線通信方式を用いた前記第１の無線部での通信処理を開始するように制御することを特徴とする請求項１に記載の移動無線端末。
【請求項６】
前記第１の無線部に切り替えられた前記第２の無線通信方式を用いて前記第１の無線部で接続が確立された場合、前記通信制御手段は、前記第１の無線通信方式を用いた前記第２の無線部での待ち受け処理を停止するように制御することを特徴とする請求項１に記載の移動無線端末。
【請求項７】
前記第１の無線部に切り替えられた前記第２の無線通信方式を用いて前記第１の無線部で接続が確立された場合に、前記第１の無線部での通信処理が開始されたとき、前記通信制御手段は、前記第１の無線部に割り当てられた無線通信方式と同一の無線通信方式を用いて前記第２の無線部で通信処理を開始するように制御することを特徴とする請求項１に記載の移動無線端末。
【請求項８】
前記第１の無線通信方式で待ち受け中または情報の通信中に前記第２の無線通信方式を起動するイベントは、CS Fallback発信または着信であることを特徴とする請求項１に記載の移動無線端末。
【請求項９】
前記第１の無線通信方式はLTE方式であり、前記第２の無線通信方式は回線交換系の無線通信方式であることを特徴とする請求項８に記載の移動無線端末。
【請求項１０】
前記第１の無線通信方式で待ち受け中または情報の通信中に前記第２の無線通信方式を起動するイベントは、前記第１の無線通信方式でのPagingであることを特徴とする請求項１に記載の移動無線端末。
【請求項１１】
前記第１の無線通信方式はLTE方式であり、前記第２の無線通信方式は回線交換系の無線通信方式であることを特徴とする請求項１０に記載の移動無線端末。
【請求項１２】
前記第１の無線通信方式で待ち受け中または情報の通信中に前記第２の無線通信方式を起動するイベントは、前記第１の無線通信方式でのPagingのうち、回線交換系のPagingであることを特徴とする請求項１０に記載の移動無線端末。
【請求項１３】
前記第１の無線通信方式でのPagingが回線交換系のPaging以外のPagingである場合、前記切り替え手段は、前記第１の無線部および前記第２の無線部に設定された無線通信方式の切り替え処理を行わず、前記通信制御手段は、前記第１の無線通信方式を用いて前記第１の無線部で通信処理を開始することを特徴とする請求項１２に記載の移動無線端末。
【請求項１４】
前記第１の無線通信方式で待ち受け中または情報の通信中に前記第２の無線通信方式を起動するイベントは、他の無線通信方式へのハンドオーバーであることを特徴とする請求項１に記載の移動無線端末。
【請求項１５】
前記第１の無線通信方式はEVDO方式であり、前記第２の無線通信方式はLTE方式であることを特徴とする請求項１４に記載の移動無線端末。
【請求項１６】
前記第１の無線通信方式で待ち受け中または情報の通信中に前記第２の無線通信方式を起動するイベントは、前記第２の無線通信方式の起動であることを特徴とする請求項１に記載の移動無線端末。
【請求項１７】
前記第１の無線通信方式は回線交換系の無線通信方式であり、前記第２の無線通信方式はLTE方式であることを特徴とする請求項１６に記載の移動無線端末。
【請求項１８】
少なくとも前記第２の無線通信方式の探索または前記第２の無線通信方式の基地局の再選択の際に、前記第２の無線通信方式の起動が開始されることを特徴とする請求項１６に記載の移動無線端末。
【請求項１９】
前記第１の無線部に切り替えられた前記第２の無線通信方式でのアタッチを確立するアタッチ確立手段をさらに備えることを特徴とする請求項１６に記載の移動無線端末。
【請求項２０】
前記第１の無線部に切り替えられた前記第２の無線通信方式でのアタッチに成功した場合、前記通信制御手段は、前記第１の無線部で前記第２の無線通信方式を用いて待ち受け処理を行うことを特徴とする請求項１９に記載の移動無線端末。
【請求項２１】
前記第１の無線部に切り替えられた前記第２の無線通信方式でのアタッチに失敗した場合、前記通信制御手段は、前記第２の無線部または前記第１の無線部で前記第１の無線通信方式を用いて待ち受け処理を継続するとともに、前記第１の無線部または前記第２の無線部で前記第２の無線通信方式を用いて待ち受け処理を行うことを特徴とする請求項１９に記載の移動無線端末。
【請求項２２】
少なくとも第１の無線通信方式および第２の無線通信方式のいずれかを用いて情報の通信を行い、
少なくとも前記第１の無線通信方式および前記第２の無線通信方式のいずれかを用いて情報の通信を行い、
前記第１の無線通信方式で待ち受け中または情報の通信中に前記第２の無線通信方式を起動するイベントが発生した場合、前記第１の無線部に前記第１の無線通信方式を設定するとともに、前記第２の無線部に前記第２の無線通信方式を設定し、
前記第２の無線通信方式での同期が取得された場合、前記第１の無線部および前記第２の無線部に設定された無線通信方式を切り替え、
前記第１の無線部に切り替えられた前記第２の無線通信方式を用いて前記第１の無線部で接続が確立されるまで、前記第２の無線部に切り替えられた前記第１の無線通信方式を用いて前記第２の無線部で待ち受けまたは同期を維持するように制御することを特徴とする通信処理方法。
【発明の詳細な説明】
【技術分野】
【０００１】
本発明は移動無線端末および通信処理方法に係り、特に、２つ以上の無線通信方式を有する移動体通信システムに接続可能な場合に、第１の無線通信方式で接続または待ち受けしているとき、第１の無線通信方式による接続の切断時間を短く抑えつつ、第２の無線通信方式による接続に切り替えることができるようにした移動無線端末および通信処理方法に関する。
【背景技術】
【０００２】
近年、第３世代携帯電話規格の標準化団体である３ＧＰＰにおいて、３Ｇ用のコア・ネットワークを発展させたネットワーク・アーキテクチャの仕様の策定が進められている。この仕様は、３ＧＰＰにおいてEPC（Evolved Packet Core）と呼ばれる。このEPCにおいては、E-UTRAN（Evolved Universal Terrestrial Radio Access Network）と、回線交換網（CS網）を有する移動体通信網（例えばUTRAN（Universal Terrestrial Radio Access Network）やGERAN（GSM/EDGE Radio Access Network）、cdma2000 1x RTT（1x Radio Transmission Technology）CSアクセス網など）とが統合される。なお、E-UTRANは、UTRANの発展型であり、LTE（Long Term Evolution）を収容する無線アクセスネットワーク（Radio Access Network）である。
【０００３】
このようなコア・ネットワーク技術の発展に伴い、複数の無線通信方式で選択的に通信を行う技術も提案されている（例えば特許文献１参照）。特許文献１に提案されている技術によれば、プライマリの送信／受信部とセカンダリの受信部の両方を持ち、これらを用いてEVDO（Evolution Data Only）方式による通信とcdma2000 1x RTTのサーチを実施するSHDR（Simultaneous Hybrid Dual Receiver）方式を活用して、cdma2000 1x RTTのみが圏外となった場合においてEVDO方式による通信を継続させながらcdma2000 1x RTTの圏外サーチを実施する
【特許文献１】特開２００８−１３５９３４号公報
【発明の開示】
【発明が解決しようとする課題】
【０００４】
しかしながら、特許文献１に提案されている技術では、EVDO方式で通信中にcdma2000 1x RTTの圏外サーチを実施するべく、セカンダリの受信部をcdma2000 1x RTT方式に割り当てcdma2000 1x RTTの圏外サーチを実施しているが、EVDO方式のシステムからEVDO方式と異なる無線通信方式のシステムにハンドオーバーさせる場合のように、EVDO方式と異なる無線通信方式のシステムを起動して接続処理を行い、接続確立後に通信させる場合の一連の処理が記述されていない。そのため、EVDO方式のシステムからEVDO方式と異なる無線通信方式のシステムに切り替える間に、通信が切断される時間が長くなってしまう。
【０００５】
さらに、EVDO方式と異なる無線通信方式のシステムへの接続を実施する際のEVDO方式のシステムの扱いが規定されていないため、EVDO/cdma2000 1x RTTの規格をそのまま適用すると、システムの切り替えが発生した瞬間に元のEVDO方式のシステムとは同期が切断されてしまう。そのため、システムの切り替え中にEVDO方式のシステムの同期が維持されておらず、EVDO方式と異なる無線通信方式のシステムの接続要求が失敗に終わった場合、すぐにEVDO方式のシステムに戻って接続を継続することができない。
【０００６】
本発明は、このような状況に鑑みてなされたものであり、第１の無線通信方式で待ち受けまたは情報の送受信を第１の無線部で実施している場合に、第２の無線通信方式の起動または接続処理が必要になったとき、第２の無線通信方式を第２の無線部に設定して、２系統の無線部を用いて第１の無線通信方式と第２の無線通信方式で同時に通信処理を行うことができる移動無線端末および通信処理方法を提供することを目的とする。
【０００７】
また、本発明は、このような状況に鑑みてなされたものであり、第２の無線通信方式の同期処理を行ってその同期処理が完了した場合に、第１の無線通信方式が接続状態であるときには接続を切断した上で、第２の無線通信方式に第１の無線部を切り替えるとともに、第２の無線部を第１無線通信方式に切り替えることができる移動無線端末および通信処理方法を提供することを目的とする。
【０００８】
さらに、本発明は、このような状況に鑑みてなされたものであり、第１の無線通信方式で送受信中の場合であっても第２の無線通信方式と少なくとも同期を維持しておくことで、ハンドオーバー時の無線通信方式の切り替えの間の通信の切断時間を短くするとともに、第２の無線通信方式の接続に失敗した場合には、同期を維持している第２の無線通信方式に遅滞なく接続し直すことができる移動無線端末および通信処理方法を提供することを目的とする。
【課題を解決するための手段】
【０００９】
本発明の移動無線端末は、上述した課題を解決するために、少なくとも第１の無線通信方式および第２の無線通信方式のいずれかを用いて情報の通信を行う第１の無線部と、少なくとも第１の無線通信方式および第２の無線通信方式のいずれかを用いて情報の通信を行う第２の無線部と、第１の無線通信方式で待ち受け中または情報の通信中に第２の無線通信方式を起動するイベントが発生した場合、第１の無線部に第１の無線通信方式を設定するとともに、第２の無線部に第２の無線通信方式を設定する設定手段と、第２の無線通信方式を用いて第２の無線部で同期を取得する同期取得手段と、同期取得手段により第２の無線通信方式での同期が取得された場合、設定手段により第１の無線部および第２の無線部に設定された無線通信方式を切り替える切り替え手段と、切り替え手段により第１の無線部に切り替えられた第２の無線通信方式を用いて第１の無線部で接続が確立されるまで、切り替え手段により第２の無線部に切り替えられた第１の無線通信方式を用いて第２の無線部で待ち受けまたは同期を維持するように制御する通信制御手段とを備えることを特徴とする。
【００１０】
本発明の通信処理方法は、上述した課題を解決するために、少なくとも第１の無線通信方式および第２の無線通信方式のいずれかを用いて情報の通信を行い、少なくとも第１の無線通信方式および第２の無線通信方式のいずれかを用いて情報の通信を行い、第１の無線通信方式で待ち受け中または情報の通信中に第２の無線通信方式を起動するイベントが発生した場合、第１の無線部に第１の無線通信方式を設定するとともに第２の無線部に第２の無線通信方式を設定し、第２の無線通信方式での同期が取得された場合、第１の無線部および第２の無線部に設定された無線通信方式を切り替え、第１の無線部に切り替えられた第２の無線通信方式を用いて第１の無線部で接続が確立されるまで、第２の無線部に切り替えられた第１の無線通信方式を用いて第２の無線部で待ち受けまたは同期を維持するように制御することを特徴とする。
【発明の効果】
【００１１】
本発明によれば、第１の無線通信方式で待ち受けまたは情報の送受信を第１の無線部で実施している場合に、第２の無線通信方式の起動または接続処理が必要になったとき、第２の無線通信方式を第２の無線部に設定して、２系統の無線部を用いて第１の無線通信方式と第２の無線通信方式で同時に通信処理を行うことができる。
【発明を実施するための最良の形態】
【００１２】
以下、本発明の実施の形態について、図面を参照しながら説明する。図１は、本発明に係る移動通信システムの構成を表している。図１に示されるように、回線交換接続用アクセス方式としてのcdma2000 1x RTT方式のシステム（以下、「1x RTTシステム」という）と、パケット交換接続用アクセス方式としてEVDO方式のシステム（以下、「EVDOシステム」という）とが、3.9世代のアクセス方式であるE-UTRAN方式のシステムを収容したEPC（Evolved Packet Core）に接続されており、各システムが互いに協調して動作できるよう構成されている。本発明が対象とする移動通信網は、TS23.272に記載のEPS（Evolved Packet System）のように、E-UTRANとCS系のアクセス網とが１つの統合されたネットワークとして構成され、かつ協調できるようにEPCの構成要素のそれぞれが接続されており、E-UTRANの基地局に対して待ち受ける移動無線端末がCSサービスを利用することができるように構成されている。なお、本発明の実施形態においては、EPSのようにEPCに接続するE-UTRANとCS系のアクセス網とが１つの統合されたネットワークを「統合通信網」と定義する。なお、UTRANやGERAN、またはcdma2000 1x RTT CSアクセス網を「CS系のアクセス網」と定義する。
【００１３】
1x RTTシステムは、例えば3GPP2 A.S0001-AおよびA.S0008-Cに準拠したシステムであり、cdma2000 1x RTT方式で移動無線端末（UE: User Equipment）と通信を実施する。EVDOシステムは、例えば3GPP2 A.S0007-AおよびA.S0008-Cに準拠したシステムであり、EVDO方式で移動無線端末と通信を実施する。LTEシステムは、例えば3GPP TS 23.401 v8.2.0および3GPP TS23.402 v8.2.0に準拠したシステムであり、第3.9世代のアクセス方式であるE-UTRAN方式で移動無線端末と通信を実施する。
【００１４】
さらに、EPS（Evolved Packet System）は、例えば3GPP TS23.272 v8.0.0に準拠したCS Fallback機能を有している。CS Fallback機能は、LTEシステムに所在する移動無線端末が1x RTTシステムなどにおいてCSサービスを実施する際のプロトコルであり、移動無線端末がE-UTRANの基地局に対して待ち受けている際にCSサービスを実施する場合での協調動作（CS Fallback）方法が規定されている。
【００１５】
CS Fallback機能を有するEPSにおいては、移動無線端末は通常E-UTRANの基地局に対して待ち受けを実施する。そして、移動無線端末は、EPS側からのCS着信通知や移動無線端末内のサービス要求などのCS系サービスのイベント（CS発信、CS着信、CS SMS(Short Message Service)等）が発生した場合に、CSサービスを実施するためにUTRANやGERAN、またはcdma2000 1x RTT CSアクセス網に接続し、これらの網との間で情報を送受信する。§6.4, 7.2では、E-UTRAN基地局で待ち受けていた移動無線端末が、CSサービスを提供するUTRANまたはGERANへ発信と着信を実施する処理について解説している。cdma2000 1x RTT CSアクセス網へ接続については、Annex B2.2, B2.3にて解説されている。本発明の実施形態において以下に説明するように、3GPP TS23.272 v8.0.0に準拠したCS Fallback機能を用いた発信または着信は、「第１の無線通信方式で待ち受けまたは情報の送受信を第１の無線部で実施している場合に第２の無線通信方式を起動するイベント」の１つである。
【００１６】
図２は、本発明に係る移動無線端末１の内部の構成を表している。移動無線端末１は、第１のアンテナ３１、無線送受信部（第１の無線部）３２、信号処理部３３、PCMコーデック３４、受話増幅器３５、スピーカ３６、送話増幅器３７、マイクロホン３８、制御部３９、記憶部４０、操作部４１、表示部４２、バッテリ４３、電源回路４４、時計回路４５、第２のアンテナ５１、および無線受信部（第２の無線部）５２を備える。
【００１７】
移動無線端末１は、cdma2000 1x RTT方式、EVDO方式、および3.9世代のLTEシステムの無線アクセスであるE-UTRA方式のいずれの無線通信方式によっても音声通信やデータ通信を行うことが可能であり、第１のアンテナ３１、無線送受信部３２、第２のアンテナ５１、無線受信部５２、および信号処理部３３はこれらの方式に対応している。なお、CS系のアクセス網方式もいくつかの方式を取ることができ、cdma2000 1x RTT方式以外にも、例えばUTRANやGERANなどを用いた方式を取ることができる。
【００１８】
第１のアンテナ３１は、移動通信網NWに収容される基地局BSから1x RTTシステム、EVDOシステムまたはLTEシステムで送信される無線信号を空間から受信する。また、第１のアンテナ３１は、1x RTTシステム、EVDOシステム、またはLTEシステムと無線通信できるように空間にいずれかのアクセス方式の無線信号を放射する。移動通信網NWと基地局BSは、移動通信システムの一部の構成要素である。図２の場合、基地局BSは説明を簡略化するために１つだけ明示しているが、実際には多数の基地局BSが移動通信網NWに収容される。
【００１９】
また、移動通信システムにおいては、多数の無線ゾーンが形成される。各無線ゾーンには、少なくとも１つの基地局BSが配備される。無線ゾーンは、隣接する無線ゾーンに割り当てられる周波数と異なる周波数が割り当てられている。基地局BSは、割り当てられた周波数で移動無線端末１と無線通信する。さらに、本発明に係る移動通信システムは、移動無線端末１がLTEシステムに所在している際にCS系のサービスを移動無線端末１に提供できるように対応しており、例えば3GPP TS23.272に記載のCS Fallback機能を有する。一方、第２のアンテナ５１は、移動通信網NWに収容される基地局BSから1x RTTシステム、EVDOシステムまたはLTEシステムで送信される無線信号を空間から受信する。
【００２０】
無線送受信部３２は、第１のアンテナ３１を介して、移動通信網NWに収容される基地局BSとの間でcdma2000 1x RTT方式、EVDO方式、またはE-UTRA方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００２１】
また、無線受信部５２は、第２のアンテナ５１を介して、移動通信網NWに収容される基地局BSとの間でcdma2000 1x RTT方式、EVDO方式、またはE-UTRA方式で無線通信する。無線受信部５２は、制御部３９から指示されるキャリア周波数の無線信号を受信し、周波数シンセサイザから出力された局部発振信号とミキシングして中間周波数信号に周波数変換する。そして、無線受信部５２は、このダウンコンバートされた中間周波数信号を直交復調して受信ベースバンド信号を出力する。この受信結果は、信号処理部３３と制御部３９に出力される。
【００２２】
信号処理部３３は、DSP（Digital Signal Processor）などにより構成され、受信ベースバンド信号に所定の信号処理を施し、所定の伝送フォーマットの受信パケットデータを得る。また、信号処理部３３は、受信パケットデータに含まれる音声信号を復調し、この復調結果を復号して音声データなどを得る。一方、信号処理部３３は、送話音声信号を符号化し、符号化によって得た音声データやその他のデータに基づいて変調信号を生成するとともに、生成された変調信号を無線送受信部３２に出力する。
【００２３】
制御部３９は、CPU（Central Processing Unit）、ROM（Read Only Memory）、およびRAM（Random Access Memory）などからなり、CPUは、ROMに記憶されているプログラムまたは記憶部４０からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。具体的には、制御部３９は、1x RTTシステム、EVDOシステムおよびLTEシステムによる音声通信やデータ通信を実現する制御機能を備えており、無線送受信部３２または無線受信部５２が用いるキャリア周波数を制御し、無線送受信部３２または無線受信部５２での受信結果に基づいてパイロット信号の探索を行う。また、制御部３９は、無線送受信部３２と無線受信部５２に設定された無線通信方式を所要のタイミングで切り替える制御機能も備える。RAMは、CPUが各種の処理を実行する上において必要なデータなどを適宜記憶する。
【００２４】
制御部３９には、必要に応じて１または複数のCPUが備えられる。なお、本発明の実施形態では、２つのCPUが備えられる例を示すが、これに限定されず、１つのCPUで実施するように制御してもよいし、３つ以上のCPUで実施するようにしてもよい。通信系制御部３９ａは、図示せぬ通信処理CPUを備え、通信処理に用いる制御を行う。通信系制御部３９ａは、第１のアンテナ３１、無線送受信部３２、第２のアンテナ５１、無線受信部５２、信号処理部３３、PCMコーデック３４、受話増幅器３５、および送話増幅器３７などを用いた通信処理を制御する。一方、UI系制御部３９ｂは、図示せぬUI処理CPUを備え、記憶部４０、操作部４１、表示部４２、時計回路４５などを用いたＵＩ処理に関して制御を行う。
【００２５】
記憶部４０は、例えば、電気的に書換えや消去が可能な不揮発性メモリであるフラッシュメモリ素子やHDD（Hard Disc Drive）などからなり、制御部３９のCPUにより実行される種々のアプリケーションプログラムや種々のデータ群、移動無線端末１の制御プログラムや制御データ、移動無線端末１またはユーザに固有に割り当てられた識別情報を格納する。この他にも、記憶部４０は、名前と電話番号を対応づけた電話帳データや、データ通信により取得したデータやダウンロードしたデータを適宜記憶する。電源回路４４は、バッテリ４３の出力を基に所定の動作電源電圧Ｖｃｃを生成して各回路部に供給する。移動無線端末１には、現在の時刻を測定する時計回路（タイマ）４５が設けられている。
【００２６】
なお、移動無線端末１は、受話増幅器３５、受話音声信号を拡声出力するスピーカ３６、送話増幅器３７、送話音声信号を入力するマイクロホン３８、ユーザからの要求を受け付ける操作部４１、および受信データに基づく画像を表示する表示部４２を備える。
【００２７】
［第１実施形態］
図３のフローチャートを参照して、図２の移動無線端末１でのCS Fallback動作時における通信制御処理について説明する。なお、図３の場合、通信制御処理のスタート時点において移動無線端末１は、無線送受信部３２または無線受信部５２をLTEシステムに設定し、信号処理部３３を制御してE-UTRANの基地局に対して待ち受け中または接続中（LTEシステムによる待ち受け中または接続中）である。勿論、移動無線端末が無線送受信部３２と無線受信部５２の両方においてもLTEシステムによる待ち受け中または接続中であってもよい。
【００２８】
ステップＳ１において、制御部３９は、CS Fallback発信を開始するか、またはCS Fallback着信信号を受信したか否かを判定し、CS Fallback発信を開始するか、またはCS Fallback着信信号を受信したと判定するまで待機する。なお、CS Fallback発信の場合、制御部３９のUI系制御部３９ｂは、移動通信端末１内のユーザインターフェース（ＵＩ）を介してユーザからの要求があったことを認識し、その認識結果を通信系制御部３９ａに伝える。通信系制御部３９ａは、UI系制御部３９ｂから認識結果を取得し、認識結果に基づいてCS Fallback発信を開始すると判定する。一方、CS Fallback着信の場合は、通信系制御部３９ａは、信号処理部３３によって処理された受信信号の中にPagingメッセージが存在し、このPagingメッセージがCS Fallbackを示す情報を有しているか否かを判定し、PagingメッセージがCS Fallbackを示す情報を有している場合にCS Fallback着信信号を受信したと判定する。
【００２９】
ステップＳ１において制御部３９が、CS Fallback発信を開始せず、かつCS Fallback着信信号を受信していないと判定した場合、移動無線端末１は、LTEシステムにおける待ち受けまたは通信を受信する。一方、ステップＳ１において制御部３９が、CS Fallback発信を開始するかまたはCS Fallback着信信号を受信したと判定した場合、通信系制御部３９ａはステップＳ２で、無線送受信部３２と無線受信部５２にそれぞれ指示を出し、無線送受信部３２と無線受信部５２を起動する。これにより、移動無線端末１におけるモードは、２系統無線部同時起動モードに移行する。なお、移動無線端末１においてすでに２つの無線部が起動されている場合には、この起動処理はスキップされる。また、移動無線端末１において１つの無線部しか起動されていない場合には、この起動処理が実行されて、２系統無線部同時起動モードに移行し、現在起動している無線部に加えてさらに１つの無線部が起動する。
【００３０】
ステップＳ３において、通信系制御部３９ａは、移動無線端末１におけるモードが２系統無線起動モードに移行すると、無線送受信部３２と無線受信部５２の両方を使用するように設定する。具体的には、通信系制御部３９ａは、無線送受信部３２および無線受信部５２を制御し、無線送受信部３２をLTEシステムに設定するとともに、無線受信部５２を1x RTTシステムに設定する。無線送受信部３２は、通信系制御部３９ａの制御に従い、LTEシステムによる無線信号を受信もしくは送受信できるように各種のパラメータを設定する。より具体的には、無線送受信部３２は、例えば送信と受信の送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、CS系のシステムである1x RTTシステムによる無線信号を受信できるように各種のパラメータを設定する。より具体的には、無線受信部５２は、例えば送信と受信の中心周波数に関するパラメータ、送信電力制御と受信利得制御に関するパラメータ、および送受信フィルタに関するパラメータなどを設定する。
【００３１】
ステップＳ４において、通信系制御部３９ａは、移動無線端末１がLTEシステムによる待ち受け中であるか否かを判定する。ステップＳ４において通信系制御部３９ａが、移動無線端末１がLTEシステムによる待ち受け中であると判定した場合、通信系制御部３９ａはステップＳ５で、LTEシステムの接続確立を実施するために無線送受信部３２を設定するとともに信号処理部３３に指示を出し、例えばTS36.331記載の接続確立処理（Connection Establish）を実施する。一方、ステップＳ４において通信系制御部３９ａが、移動無線端末１がLTEシステムによる待ち受け中ではなく接続中であると判定した場合、LTEシステムの接続確立を実施する必要がないことから、ステップＳ５の処理はスキップされる。
【００３２】
ステップＳ６において、通信系制御部３９ａは、LTEシステムに対してサービス要求メッセージを送信するために無線送受信部３２および信号処理部３３に指示を出す。このとき、通信系制御部３９ａは、信号処理部３３を制御し、サービス要求メッセージの中にCS Fallbackを実施したい旨の情報（CS Fallback実施要求情報）を挿入する。そして、通信系制御部３９ａは、無線送受信部３２を制御し、LTEシステムに対してサービス要求メッセージを送信する。ステップＳ７において、通信系制御部３９ａは、信号処理部３３を制御し、無線送受信部３２でLTEシステムの接続を維持し、無線受信部５２で1x RTTシステムの同期処理を開始する。ステップＳ８において、通信系制御部３９ａは、1x RTTシステムの同期取得が完了したか否かを判定する。ステップＳ８において通信系制御部３９ａが、1x RTTシステムの同期取得が完了したと判定した場合、通信系制御部３９ａはステップＳ９で、無線送受信部３２で1x RTTシステムの接続確立処理を実施するとともに無線受信部５２でLTEシステムの待ち受けを実施するために、無線送受信部３２と無線受信部５２に設定された無線通信方式を切り替える。具体的には、無線送受信部３２は、通信系制御部３９ａの制御に従い、1x RTTシステムによる無線信号を受信もしくは送受信できるように各種のパラメータを設定する。すなわち、無線送受信部３２は、例えば送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、LTEシステムによる無線信号を受信できるように各種のパラメータを設定する。すなわち、無線受信部５２は、例えば送信と受信の中心周波数に関するパラメータ、送信電力制御と受信利得制御に関するパラメータ、および送受信フィルタに関するパラメータなどを設定する。
【００３３】
ステップＳ１０において、通信系制御部３９ａは、無線送受信部３２と無線受信部５２の切替えを実施した後に信号処理部３３を制御し、無線送受信部３２で1x RTTシステムの接続確立処理を行い、無線受信部５２でLTEシステムとの待ち受け処理を行う。
【００３４】
一方、ステップＳ９において通信系制御部３９ａが、1x RTTシステムの同期取得が完了していないと判定した場合、通信系制御部３９ａはステップＳ１１で、1x RTTシステムの同期取得に失敗したか否かを判定する。すなわち、通信系制御部３９ａは、1x RTTシステムの同期取得失敗条件を満たしたか否かを判定する。この1x RTTシステムの同期取得失敗条件としていくつかの条件を設定することができ、例えば同期取得処理を複数回（３回など）試行して成功しなかった場合や同期処理開始から同期が完了しないまま一定時間が経過した場合などを1x RTTシステムの同期取得失敗条件として設定することができる。ステップＳ１１において通信系制御部３９ａが1x RTTシステムの同期取得に失敗したと判定した場合、通信系制御部３９ａはステップＳ１２で、CS系のシステムとしての1x RTTシステムの同期処理に失敗したと認識し、無線受信部５２と信号処理部３３に対して1x RTTシステムの同期処理をやめるように指示し、1x RTTシステムの同期処理を停止する。そして、通信系制御部３９ａは、これまでに無線送受信部３２でLTEシステムと同期を取っていることから、無線送受信部３２および信号処理部３３を制御し、すでに取得された同期タイミング情報を用いてLTEシステムへの待ち受けに即座に復帰する。これにより、たとえ無線受信部５２にて1x RTTシステムの同期の取得に失敗したとしても、無線送受信部３２でLTEシステムへの待ち受けに即座に復帰することができる。
【００３５】
ステップＳ１１において通信系制御部３９ａが1x RTTシステムの同期取得にまだ失敗していないと判定した場合、処理はステップＳ８に戻り、1x RTTシステムの同期取得失敗条件の範囲内で1x RTTシステムと同期を取得するまで1x RTTシステムの同期処理が実行される。
【００３６】
ステップＳ１３において、通信系制御部３９ａは、1x RTTシステムとの接続が確立したか否かを判定する。ステップＳ１３において通信系制御部３９ａが、1x RTTシステムとの接続が確立したと判定した場合、通信系制御部３９ａはステップＳ１４で、無送受信部３２で1x RTTシステムとの間で通信処理を実施する。通信系制御部３９ａは、必要に応じて、無線受信部５２も1x RTTシステムに切り替えることによってダイバーシチ受信を実施するようにしてもよい。また、通信系制御部３９ａは、必要に応じて無線受信部５２の起動を停止して、LTEシステムとの処理を停止してもよい。一方、ステップＳ１３において通信系制御部３９ａが、1x RTTシステムとの接続が確立していないと判定した場合、通信系制御部３９ａはステップＳ１５で、1x RTTシステムとの接続の確立に失敗したか否かを判定する。すなわち、通信系制御部３９ａは、1x RTTシステム接続確立失敗条件を満たしたか否かを判定する。この1x RTTシステム接続確立失敗条件としていくつかの条件を設定することができ、例えば1x RTTシステムの接続確立処理を複数回試行して成功しなかった場合や接続確立処理開始から接続が確立しないまま一定時間が経過した場合などを1x RTTシステム接続確立失敗条件として設定することができる。ステップＳ１５において通信系制御部３９ａが1x RTTシステムとの接続の確立に失敗したと判定した場合、通信系制御部３９ａはステップＳ１６で、1x RTTシステムへの移行に失敗したと認識し、無線送受信部３２を制御して1x RTTシステムの接続確立処理を中止する。そして、通信系制御部３９ａは、これまでに無線受信部５２でLTEシステムと同期をとっていることから、無線受信部５２および信号処理部３３を制御し、すでに取得された同期タイミング情報を用いてLTEシステムへの待ち受けに即座に復帰する。これにより、たとえ無線送受信部３２にて1x RTTシステムの接続の確立に失敗したとしても、無線受信部５２でLTEシステムへの待ち受けに即座に復帰することができる。
【００３７】
一方、ステップＳ１５において通信系制御部３９ａが1x RTTシステムとの接続の確立にまだ失敗していないと判定した場合、処理はステップＳ１３に戻り、1x RTTシステムの接続確立失敗条件の範囲内で1x RTTシステムと接続を確立するまで1x RTTシステムの接続確立処理が実行される。
【００３８】
以上のように、本発明の移動通信端末１は、無線送受信部３２と無線受信部５２を２つ使用して、CS Fallbackを実施しCS通信を実施する場合においてLTEシステムによる通信の中断期間を極力短くすることができる。次に、図４のシーケンス図を用いて、図３のフローチャートを用いて説明したCS Fallback動作時における通信制御処理を移動無線端末１の主な構成要素ごとに時系列的に説明し、LTEシステムによる通信の中断期間の短縮効果について説明する。
【００３９】
図４に示されるように、本発明に係る移動無線端末１の主な構成要素が記載されている。図４の場合、左から第１のアンテナ３１と第１のアンテナ３１に接続される無線送受信部３２と、第２のアンテナ５１と第２のアンテナ５１に接続される無線受信部５２の動作状態を時系列的に示し、続いて信号処理部３３と制御部３９の動作状態が時系列的に示されている。
【００４０】
図４に示されるように、CS Fallback動作時における通信制御処理のスタート時に、移動無線端末１は、無線送受信部３２でLTEシステムでの待ち受けもしくは通信を実施している。このとき、信号処理部３３がCS Fallbackの着信を受けた場合、もしくは、ユーザによるUI操作などにより移動無線端末１からのCS発信（CS Fallbackの発信）を認識した場合、通信系制御部３９ａは無線送受信部３２と無線受信部５２の両方の無線部を使用するように設定する。そして、通信系制御部３９ａは、無線送受信部３２でLTEシステムでCS Fallbackモードのサービス要求を出すために無線送受信部３２をLTEシステムに設定し、同時に、無線受信部５２で1x RTTシステムの同期を取得するために無線受信部５２を1x RTTシステムに設定する。さらに、通信系制御部３９ａは、1x RTTシステムの同期処理を実施するために、信号処理部３３に対して1x RTTシステムによる信号処理の起動を指示する。従って、移動無線端末１は、前述した２系統無線部同時起動モードへの切替えおよびその設定により、第１のアンテナ３１側でLTEシステムでの接続をしている場合に、第２のアンテナ５１側で1x RTTシステムの同期取得を実施することができる。このように1x RTTシステムの同期取得を実施している際に並行してLTEシステムの接続処理を実施することができるため、1x RTTシステムの同期取得処理が数秒にわたる場合に、1x RTTシステムの同期取得処理中もLTEシステムでの通信を継続することができ、CS Fallbackを実施しCS通信を実施する場合においてLTEシステムによる通信の中断期間を極力短くすることができる。
【００４１】
続いて、無線受信部５２での1x RTTシステムの同期取得が完了すると、通信系制御部３９ａは無線送受信部３２と無線受信部５２に切り替え指示を出す。無線送受信部３２は、通信系制御部３９ａの制御に従い、1x RTTシステムの接続確立処理を開始する一方、無線受信部５２は、通信系制御部３９ａの制御に従い、LTEシステムの待ち受け処理を実施する。そして、1x RTTシステムの接続が確立した場合、通信系制御部３９ａは、無線受信部５２に対して２系統無線部同時起動モードの離脱を指示し、信号処理部３３に対してLTEシステムの信号処理の停止指示を出す。このように、1x RTTシステムへの同期処理および接続確立処理中にもLTEシステムの同期を取得しておくことで、1x RTTシステムへの移行（CS Fallback）が失敗に終わった場合に、無線受信部５２で実施しているLTEシステムの同期維持のための同期タイミング情報を用いてすぐにLTEシステムと接続を復元することができる。
【００４２】
本発明の実施形態においては、少なくとも第１の無線通信方式および第２の無線通信方式のいずれかを用いて情報の通信を行う第１の無線部と、少なくとも第１の無線通信方式および第２の無線通信方式のいずれかを用いて情報の通信を行う第２の無線部と、第１の無線通信方式で待ち受け中または情報の通信中に第２の無線通信方式を起動するイベントが発生した場合、第１の無線部に第１の無線通信方式を設定するとともに第２の無線部に第２の無線通信方式を設定し、第２の無線通信方式を用いて第２の無線部で同期を取得し、第２の無線通信方式での同期が取得された場合、第１の無線部および第２の無線部に設定された無線通信方式を切り替え、第１の無線部に切り替えられた第２の無線通信方式を用いて第１の無線部で接続が確立されるまで、第２の無線部に切り替えられた第１の無線通信方式を用いて第２の無線部で待ち受けまたは同期を維持するように制御することができる。
【００４３】
これにより、LTEシステムから1x RTTシステムへCS fallbackを実施する際において、無線送受信部３２および無線受信部５２を同時に使用するように設定し、1x RTTシステムとの接続が確立してからLTEシステムとの接続を切断することができるため、CS Fallback動作時において接続または同期取得での失敗があった場合に即座にLTEシステムによる待ち受け状態に戻ることができる。従って、CS Fallbackを実施しCS通信を実施する場合においてLTEシステムによる通信の中断期間を極力短くすることができる。その結果、２つ以上の無線通信方式を有する移動体通信システムに接続可能な場合に、第１の無線通信方式で接続または待ち受けしているとき、第１の無線通信方式による接続の切断時間を短く抑えつつ、第２の無線通信方式による接続に好適に切り替えることができる。
【００４４】
ところで、図３および図４を用いて説明した通信制御処理においては、「第１の無線通信方式で待ち受けまたは情報の送受信を第１の無線部で実施している場合に第２の無線通信方式を起動するイベント」の１つとして、例えば3GPP TS23.272 v8.0.0に準拠したCS Fallback機能を用いた発信または着信について明示的に説明したが、このような場合に限られない。例えば「第１の無線通信方式で待ち受けまたは情報の送受信を第１の無線部で実施している場合に第２の無線通信方式を起動するイベント」の１つとしてのLTE Pagingに本発明を適用するようにしてもよい。以下、この方法を用いた本発明の第２実施形態について説明する。
【００４５】
［第２実施形態］
図５のフローチャートを参照して、図２の移動無線端末１でのLTE Pagingにおける通信制御処理について説明する。なお、図５の場合、通信制御処理のスタート時点において移動無線端末１は、無線送受信部３２をLTEシステムに設定し、信号処理部３３を制御してE-UTRANで待ち受け中（LTEシステムによる待ち受け中）である。また、図５のステップＳ３７乃至Ｓ４５の処理は、図３のステップＳ８乃至１６の処理と基本的には同様であり、その説明は繰り返しになるので適宜省略する。
【００４６】
ステップＳ３１において、通信系制御部３９ａは、LTEシステムによる待ち受け中にPaging（着信）があったか否かを判定し、LTEシステムによる待ち受け中にPaging（着信）があったと判定するまで待機する。ここでのPagingとは信号処理部３３によるPaging messageデコード前のPaging通知であって、あくまで着信があるかないかを示すものであり、例えば２値情報である。そのため、仮にPaging通知を取得したとしても、移動無線端末１はPaging（着信）の内容を把握することはできない。すなわち、移動無線端末１は、このPaging通知によって知らされる着信がLTEのパケット交換（PS）のPagingなのか、あるいは回線交換などのCS系のPagingなのかを判断することはできない。
【００４７】
ステップＳ３１において通信系制御部３９ａがLTEシステムによる待ち受け中にPaging（着信）があったと判定した場合、通信系制御部３９ａはステップＳ３２で、無線送受信部３２と無線受信部５２にそれぞれ指示を出し、無線送受信部３２と無線受信部５２を起動する。これにより、移動無線端末１におけるモードは、２系統無線部同時起動モードに移行する。ステップＳ３３において、通信系制御部３９ａは、移動無線端末１におけるモードが２系統無線起動モードに移行すると、無線送受信部３２と無線受信部５２の両方を使用するように設定する。具体的には、通信系制御部３９ａは、無線送受信部３２および無線受信部５２を制御し、無線送受信部３２をLTEシステムに設定するとともに、無線受信部５２を1x RTTシステムに設定する。無線送受信部３２は、通信系制御部３９ａの制御に従い、LTEシステムによる無線信号を受信もしくは送受信できるように各種のパラメータを設定する。より具体的には、無線送受信部３２は、LTEシステムによる無線信号を受信もしくは送受信できるように例えば送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、CS系のシステムである1x RTTシステムによる無線信号を受信できるように各種のパラメータを設定する。より具体的には、無線受信部５２は、1x RTTシステムによる無線信号を受信できるように、例えば送信と受信の中心周波数に関するパラメータ、送信電力制御と受信利得制御に関するパラメータ、および送受信フィルタに関するパラメータなどを設定する。
【００４８】
ステップＳ３４において、通信系制御部３９ａは、信号処理部３３を制御し、無線送受信部３２でLTEシステムとの待ち受け処理を行い、無線受信部５２で1x RTTシステムの同期処理を開始する。ステップＳ３５において、信号処理部３３は、無線送受信部３２からのPaging messageをデコードしてPagingに関する情報を取得する。通信系制御部３９ａは、信号処理部３３において取得されたPagingに関する情報に基づいて、取得されたPaging messageがCS系（回線交換系）のサービスに関するPaging messageであるか否かを判定する。具体的には、通信系制御部３９ａは、CS系のサービスを識別するための識別情報がPaging messageに格納されているか否かにより、取得されたPaging messageがCS系のサービスに関するPaging messageであるか否かを判定する。
【００４９】
ステップＳ３５において通信系制御部３９ａが、Paging messageがCS系（回線交換系）のサービスに関するPaging messageではなくPSのサービスに関するPaging messageであると判定した場合、通信系制御部３９ａはステップＳ３６で、２系統無線部同時起動モードを離脱し、無線送受信部３２にてLTEシステムとの接続を開始し、例えば3GPP TS36.331で規定されるLTEシステムへの着信応答と接続処理を実施する。
【００５０】
そして、ステップＳ３７において、通信系制御部３９ａは、1x RTTシステムの同期取得が完了したか否かを判定する。ステップＳ３７において通信系制御部３９ａが、1x RTTシステムの同期取得が完了したと判定した場合、通信系制御部３９aはステップＳ３８で、無線送受信部３２で1x RTTシステムの接続確立処理を実施するとともに無線受信部５２でLTEシステムの待ち受けを実施するために、無線送受信部３２と無線受信部５２に設定された無線通信方式を切り替える。具体的には、無線送受信部３２は、通信系制御部３９ａの制御に従い、1x RTTシステムによる無線信号を受信もしくは送受信できるように各種のパラメータを設定する。すなわち、無線送受信部３２は、1x RTTシステムによる無線信号を受信もしくは送受信できるように、例えば送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、LTEシステムによる無線信号を受信できるように各種のパラメータを設定する。すなわち、無線受信部５２は、LTEシステムによる無線信号を受信できるように、例えば送信と受信の中心周波数に関するパラメータ、送信電力制御と受信利得制御に関するパラメータ、および送受信フィルタに関するパラメータなどを設定する。そして、ステップＳ３９において、通信系制御部３９ａは、無線送受信部３２と無線受信部５２の切替えを実施した後に信号処理部３３を制御し、無線送受信部３２で1x RTTシステムの接続確立処理を行い、無線受信部５２でLTEシステムとの待ち受け処理を行う。その後、処理はステップＳ４２に進む。一方、ステップＳ３７において通信系制御部３９ａが、1x RTTシステムの同期取得がまだ完了していないと判定した場合、処理はステップＳ４０に進む。
【００５１】
以上のように、本発明の移動通信端末１は、無線送受信部３２と無線受信部５２の２つの無線部を使用して、LTEシステムによるPagingを判断し、1x RTTシステムによるCS通信を実施する場合においてLTEシステムによる通信の中断期間を極力短くすることができる。また、1x RTTシステムによる接続が失敗した場合にすぐにLTEシステムに復帰することができる。なお、図５に示される通信制御処理においては、ステップＳ３１で移動無線端末１がPagingを取得した場合に、Paging messageがCS系（回線交換系）のサービスに関するPaging messageであるか否か分からない時点で1x RTTシステムを無線受信部５２に設定して起動し、1x RTTシステムとの同期を取るようにしている。この場合、Paging messageがCS系のサービスに関するPaging messageであるか否かを判断せずにすべてのPaging messageの取得の度に1x RTTシステムを起動することから、1x RTTシステムの起動という観点で非効率的であり、無線部における電力消費が増大してしまう。そこで、図６に示されるように、ステップＳ７２において信号処理部３３でのデコード後のPaging messageの内容を判定した上で、1x RTTシステムを無線受信部５２に設定して起動し、1x RTTシステムとの同期を取るようにしてもよい。この場合、Paging messageの種類を認識してからの1x RTTシステムの起動までの時間が図５の場合よりも遅れるものの、1x RTTシステムに対する応答性を速くすることができる。特に同期回路が高速であるならば、1x RTTシステムを起動しなければならないCS系のサービスに関するPaging messageかどうかを判断してから1x RTTシステムを起動するようにしてもよい。
【００５２】
なお、図６の処理は図５の処理と基本的には同様であり、その説明は繰り返しになるので省略する。
【００５３】
次に、図７を用いて、図５のフローチャートを用いて説明したLTE Pagingにおける通信制御処理を移動無線端末１の主な構成要素ごとに時系列的に説明し、LTEシステムによる通信の中断期間の短縮効果について説明する。
【００５４】
図７のシーケンス図に示されるように、本発明に係る移動無線端末１の主な構成要素が記載されている。図７の場合、左から第１のアンテナ３１と第１のアンテナ３１に接続される無線送受信部３２と、第２のアンテナ５１と第２のアンテナ５１に接続される無線受信部５２の動作状態を時系列的に示し、続いて信号処理部３３と制御部３９の動作状態が時系列的に示されている。
【００５５】
図７に示されるように、LTE Pagingにおける通信制御処理のスタート時に、移動無線端末１は、無線送受信部３２でLTEシステムでの待ち受けを実施している。このとき、信号処理部３３にてPaging通知が取得されて通信系制御部３９ａがPagingがあったと判定した場合、通信系制御部３９ａは無線送受信部３２と無線受信部５２の両方の無線部を使用するように設定する。無線送受信部３２はLTEシステムでの待ち受けを継続する。同時に、通信系制御部３９ａは、無線受信部５２を起動し、1x RTTシステムの同期を取得するために1x RTTシステムに設定する。さらに、通信系制御部３９ａは、1x RTTシステムの同期処理を実施するために信号処理部３３に対して1x RTTシステムによる信号処理の起動を指示する。従って、移動無線端末１は、前述した２系統無線部同時起動モードへの切替えおよびその設定により、第１のアンテナ３１側ではLTEシステムでの待ち受けをしている場合に、第２のアンテナ５１側では1x RTTシステムの同期取得を実施することができる。このように1xRTTシステムの同期取得を実施している際に並行してLTEシステムの待ち受け処理を実施できる。
【００５６】
続いて、Paging messageのデコード結果に基づいて、取得されたPaging messageがCS系（回線交換系）のサービスに関するPaging messageであるか否かを認識しつつ、1x RTTシステムの同期取得が完了すると、通信系制御部３９ａは、無線送受信部３２と無線受信部５２に切り替え指示を出す。無線送受信部３２は、通信系制御部３９ａの制御に従い、1x RTTシステムの接続確立処理を開始する一方、無線受信部５２は、通信系制御部３９ａの制御に従い、LTEシステムの待ち受け処理を実施する。そして、1x RTTシステムの接続が確立した場合、通信系制御部３９ａは、無線受信部５２に対して２系統無線部同時起動モードの離脱を指示し、信号処理部３３に対してLTEシステムの信号処理の停止指示を出す。このように、1x RTTシステムへの同期処理および接続確立処理中にもLTEシステムの同期を取得しておくことで、1x RTTシステムでの接続が失敗に終わった場合に、無線受信部５２で実施しているLTEシステムの同期情報のための同期タイミング情報を用いてすぐにLTEシステムとの待ち受け状態に復帰することができる。
【００５７】
これにより、LTEシステムにおいてPagingを認識した場合に1x RTTシステムを即座に起動して同期処理を開始することで、このPaging messageがCS paging messageである場合に前もって同期を取っておくことができ、1x RTTシステムへの着信応答までの時間を短縮することができる。また、無線送受信部３２および無線受信部５２を同時に使用するように設定することで、1x RTTの接続が確立してからLTEシステムを切断することができるため、1x RTTシステムへの接続が失敗となった場合には即座にLTEシステムに待ち受け状態に戻ることができる。その結果、２つ以上の無線通信方式を有する移動体通信システムに接続可能な場合に、第１の無線通信方式で接続または待ち受けしているとき、第１の無線通信方式による接続の切断時間を短く抑えつつ、第２の無線通信方式による接続に好適に切り替えることができる。
【００５８】
ところで、「第１の無線通信方式で待ち受けまたは情報の送受信を第１の無線部で実施している場合に第２の無線通信方式を起動するイベント」の１つとしての通信中のハンドオーバー時に本発明を適用するようにしてもよい。すなわち、移動通信端末１が任意のシステムによる接続中の状態で移動無線端末１が別のシステムに移行し、移動無線端末１が別のシステムによって通信を継続する場合に、本発明を適用するようにしてもよい。なお、本発明の実施形態においては、EVDOシステムからLTEシステムへのハンドオーバー時、すなわち、本発明の移動通信端末１がEVDOシステムによって通信を実施している場合にLTEシステムによって通信を継続する場合について明示的に説明する。以下、この方法を用いた本発明の第３実施形態について説明する。
【００５９】
［第３実施形態］
図８のフローチャートを参照して、図２の移動無線端末１でのEVDOシステムからLTEシステムへのハンドオーバー時における通信制御処理について説明する。なお、図８の場合、通信制御処理のスタート時点において移動無線端末１はEVDOシステムによる通信を実施中である。このとき、移動無線端末１は、EVDOシステムで通信を実施できるように無線送受信部３２をEVDOシステムに設定し、例えば送信と受信の中心周波数に関するパラメータ、送信電力制御と受信利得制御に関するパラメータ、および送受信フィルタに関するパラメータなどを設定する。なお、移動無線端末１は、無線受信部５２もEVDOシステムに設定することでダイバーシチ受信を実施することができる。勿論、無線受信部５２をEVDOシステムに設定せずにダイバーシチ受信を実施しなくてもよい。
【００６０】
ステップＳ１０１において、通信系制御部３９ａは、信号処理部３３によって処理された受信信号の中にLTEシステムへの移行を示すメッセージが存在するか否かを判定することにより、LTEシステムへの移行コマンドを受信したか否かを判定する。ここで、LTEシステムへの移行を示すメッセージとして、例えば移動体通信網側からのハンドオーバーコマンド（Handover command）や、移動体通信網側からのセルチェンジオーダーリクエスト（Cell Change Order Request）、移動体通信網側からのセルリダイレクションリクエスト（Cell Redirection Request）などが考えられる。
【００６１】
ステップＳ１０１において通信系制御部３９ａがLTEシステムへの移行コマンドを受信していないと判定した場合、通信系制御部３９ａはステップＳ１０２で、EVDOシステムによる通信が終了したかどうかを判定する。ステップＳ１０２において通信系制御部３９ａがEVDOシステムによる通信が終了していないと判定した場合、処理はステップＳ１０１に戻り、EVDOシステムによる通信が継続される。一方、ステップＳ１０２において通信系制御部３９ａがEVDOシステムによる通信が終了したと判定した場合、通信系制御部３９ａはステップＳ１０３で、EVDOシステムの待ち受け処理（idleモードの処理）を行い、EVDOシステムの間欠受信処理をはじめとするidleモード時の処理を実施する。
【００６２】
ステップＳ１０１において通信系制御部３９ａがLTEシステムへの移行コマンドを受信したと判定した場合、通信系制御部３９ａはステップＳ１０４で、無線送受信部３２と無線受信部５２にそれぞれ指示を出し、無線送受信部３２と無線受信部５２を起動する。これにより、移動無線端末１におけるモードは、２系統無線部同時起動モードに移行する。なお、移動無線端末１においてすでに２つの無線部が起動されている場合には、この起動処理はスキップされる。また、移動無線端末１において１つの無線部しか起動されていない場合には、この起動処理が実行されて、２系統無線部同時起動モードに移行し、現在起動している無線部に加えてさらに１つの無線部が起動する。
【００６３】
ステップＳ１０５において、通信系制御部３９ａは、移動無線端末１におけるモードが２系統無線起動モードに移行すると、無線送受信部３２と無線受信部５２の両方を使用するように設定する。具体的には、通信系制御部３９ａは、無線送受信部３２および無線受信部５２を制御し、無線送受信部３２をEVDOシステムに設定するとともに、無線受信部５２をLTEシステムに設定する。無線送受信部３２は、通信系制御部３９ａの制御に従い、EVDOシステムによる無線信号を受信もしくは送受信できるように各種のパラメータを設定する。より具体的には、無線送受信部３２は、EVDOシステムによる無線信号を受信もしくは送受信できるように例えば送信と受信の送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、LTEシステムによる無線信号を受信できるように各種のパラメータを設定する。より具体的には、無線受信部５２は、LTEシステムによる無線信号を受信できるように例えば送信と受信の中心周波数に関するパラメータ、送信電力制御と受信利得制御に関するパラメータ、および送受信フィルタに関するパラメータなどを設定する。
【００６４】
ステップＳ１０６において、通信系制御部３９ａは、信号処理部３３を制御し、無線送受信部３２でEVDOシステムとの通信処理を維持し、無線受信部５２でLTEシステムの同期処理を開始する。なお、無線受信部５２でLTEシステムの同期処理を行う場合、通信系制御部３９ａは、LTEシステムの基地局BSの電力を検出して同期チャネルに同期させる。
【００６５】
ステップＳ１０７において、通信系制御部３９ａは、LTEシステムの同期取得が完了したか否かを判定する。ステップＳ１０７において通信系制御部３９ａが、LTEシステムの同期取得が完了したと判定した場合、通信系制御部３９aはステップＳ１０８で、無線送受信部３２に対してEVDOシステムとの通信を切断するとの指示を出す。ステップＳ１０９において、通信系制御部３９ａは、無線送受信部３２でLTEシステムの接続確立処理を実施するとともに無線受信部５２でEVDOシステムとの同期処理を実施するために、無線送受信部３２と無線受信部５２に設定された無線通信方式を切り替える。具体的には、無線送受信部３２は、通信系制御部３９ａの制御に従い、LTEシステムによる無線信号を受信もしくは送受信できるように各種のパラメータを設定する。すなわち、無線送受信部３２は、LTEシステムによる無線信号を受信もしくは送受信できるように例えば送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、EVDOシステムによる無線信号を受信できるように各種のパラメータを設定する。すなわち、無線受信部５２は、EVDOシステムによる無線信号を受信できるように例えば送信と受信の中心周波数に関するパラメータ、送信電力制御と受信利得制御に関するパラメータ、および送受信フィルタに関するパラメータなどを設定する。なお、通信系制御部３９ａは、無線受信部５２での無線通信方式を切り替える際、EVDOシステムによる通信の切断前までに無線送受信部３２で接続の実施中に用いられていた送信と受信の中心周波数や同期タイミングなどの情報を無線受信部５２へ伝達する。これにより、無線受信部５２で即座にEVDOシステムとの同期を取ることができる。
【００６６】
ステップＳ１１０において、通信系制御部３９ａは、無線送受信部３２と無線受信部５２の切替えを実施した後に信号処理部３３を制御し、無線送受信部３２でLTEシステムの接続確立処理を行い、無線受信部５２でEVDOシステムとの同期処理を行う。なお、無線送受信部３２でLTEシステムでの接続開始処理を実施する場合に、LTEシステムへアタッチ処理（ネットワーク接続処理）が必要であるときには、通信系制御部３９ａはアタッチ処理も実施する。無線受信部５２ではEVDOシステムとの同期が維持される。これにより、後述するステップＳ１１５でLTEシステムとの接続確立が失敗に終わった場合に、EVDOシステムに容易に再接続できる。
【００６７】
一方、ステップＳ１０７において通信系制御部３９ａが、LTEシステムの同期取得が完了していないと判定した場合、通信系制御部３９ａはステップＳ１１１で、LTEシステムの同期取得に失敗したか否かを判定する。すなわち、通信系制御部３９ａは、LTEシステムの同期取得失敗条件を満たしたか否かを判定する。このLTEシステムの同期取得失敗条件としていくつかの条件を設定することができ、例えば同期取得処理を複数回（３回など）試行して成功しなかった場合や同期処理開始から同期が完了しないまま一定時間が経過した場合などをLTEシステムの同期取得失敗条件として設定することができる。ステップＳ１１１において通信系制御部３９ａがLTEシステムの同期取得に失敗したと判定した場合、通信系制御部３９ａはステップＳ１１２で、LTEシステムの同期処理に失敗したと認識し、無線受信部５２と信号処理部３３に対してLTEシステムの同期処理をやめるように指示し、LTEシステムの同期処理を停止する。そして、通信系制御部３９ａは、これまでに無線送受信部３２でEVDOシステムとの通信を維持していることから、無線送受信部３２および信号処理部３３を制御し、EVDOシステムによる通信に戻る。このとき、通信系制御部３９ａは、必要に応じて、無線受信部５２もEVDOシステムに切り替えることによってダイバーシチ受信を実施するようにしてもよい。
【００６８】
ステップＳ１１１において通信系制御部３９ａがLTEシステムの同期取得にまだ失敗していないと判定した場合、処理はステップＳ１０７に戻り、LTEシステムの同期取得失敗条件の範囲内でLTEシステムと同期を取得するまでLTEシステムの同期処理が実行される。
【００６９】
ステップＳ１１３において、通信系制御部３９ａは、LTEシステムとの接続が確立したか否かを判定する。ステップＳ１１３において通信系制御部３９ａが、LTEシステムとの接続が確立したと判定した場合、通信系制御部３９ａはステップＳ１１４で、無送受信部３２でLTEシステムとの間で通信処理を実施する。このとき、通信系制御部３９ａは、必要に応じて、無線受信部５２もLTEシステムに切り替えることによってダイバーシチ受信を実施するようにしてもよい。また、通信系制御部３９ａは、必要に応じて無線受信部５２の起動を停止して、無線受信部５２を用いたLTEシステムとの処理を停止してもよい。一方、ステップＳ１１３において通信系制御部３９ａが、LTEシステムとの接続が確立していないと判定した場合、通信系制御部３９ａはステップＳ１１５で、LTEシステムとの接続の確立に失敗したか否かを判定する。すなわち、通信系制御部３９ａは、LTEシステム接続確立失敗条件を満たしたか否かを判定する。このLTEシステム接続確立失敗条件としていくつかの条件を設定することができ、例えばLTEシステムの接続確立処理を複数回試行して成功しなかった場合や接続確立処理開始から接続が確立しないまま一定時間が経過した場合などをLTEシステム接続確立失敗条件として設定することができる。ステップＳ１１５において通信系制御部３９ａがLTEシステムとの接続の確立に失敗したと判定した場合、通信系制御部３９ａはステップＳ１１６で、LTEシステムへの移行に失敗したと認識し、無線送受信部３２を制御してLTEシステムの接続確立処理を中止する。そして、通信系制御部３９ａは、これまでに無線受信部５２でEVDOシステムと同期をとっていることから、無線受信部５２および信号処理部３３を制御し、すでに取得された同期タイミング情報を用いてEVDOシステムへの接続処理を実施する。これにより、たとえ無線送受信部３２にてLTEシステムの接続の確立に失敗したとしても、無線受信部５２でEVDOシステムによる通信を引き続き実施することができる。
【００７０】
一方、ステップＳ１１５において通信系制御部３９ａがLTEシステムとの接続の確立にまだ失敗していないと判定した場合、処理はステップＳ１１３に戻り、LTEシステムの接続確立失敗条件の範囲内でLTEシステムと接続を確立するまでLTEシステムの接続確立処理が実行される。
【００７１】
以上のように、本発明の移動通信端末１は、無線送受信部３２と無線受信部５２の２つの無線部を使用して、EVDOシステムからLTEシステムへのハンドオーバーの際に、EVDOシステムによる通信の中断期間を極力短くすることができる。
【００７２】
次に、図９を用いて、図８のフローチャートを用いて説明したEVDOシステムからLTEシステムへのハンドオーバー時における通信制御処理を移動無線端末１の主な構成要素ごとに時系列的に説明し、EVDOシステムによる通信の中断期間の短縮効果について説明する。
【００７３】
図９に示されるように、本発明に係る移動無線端末１の主な構成要素が記載されている。図９の場合、左から第１のアンテナ３１と第１のアンテナ３１に接続される無線送受信部３２と、第２のアンテナ５１と第２のアンテナ５１に接続される無線受信部５２の動作状態を時系列的に示し、続いて信号処理部３３と制御部３９の動作状態が時系列的に示されている。
【００７４】
図９に示されるように、VDOシステムからLTEシステムへのハンドオーバー時における通信制御処理のスタート時に、移動無線端末１は、無線送受信部３２と無線受信部５２でEVDOシステムでの通信を実施している。このとき、信号処理部３３は、受信信号の中にLTEシステムへの移行を示すメッセージを認識した場合、LTEシステムへの移行を示すメッセージがあったことを通信系制御部３９ａに伝達する。これを受けて通信系制御部３９ａは、無線送受信部３２と無線受信部５２の両方の無線部を使用するように設定する。無線送受信部３２はEVDOシステムとの通信を継続する。同時に、通信系制御部３９ａは、無線受信部５２を起動し、LTEシステムの同期を取得するためにLTEシステムに設定する。さらに、通信系制御部３９ａは、LTEシステムの同期処理を実施するために信号処理部３３に対してLTEシステムによる信号処理の起動を指示する。従って、LTEシステムとの同期取得を実施している際にもEVDOシステムで通信が継続されているので、LTEシステムの同期取得の期間中においても、EVDOシステムとの通信を継続できる。特に、LTEシステムでのアタッチが完了していない場合には、この同期取得処理が数秒にわたるため、この期間もEVDOシステムで通信が継続できる効果は大きい。
【００７５】
続いて、LTEシステムの同期取得が完了すると、通信系制御部３９ａは無線送受信部３２と無線受信部５２に切り替え指示を出す。無線送受信部３２は、通信系制御部３９ａの制御に従い、LTEシステムの接続確立処理を開始する一方、無線受信部５２は、通信系制御部３９ａの制御に従い、EVDOシステムとの同期維持処理を実施する。このように、LTEシステムへの同期処理および接続確立処理中にもEVDOシステムとの同期を取得しておくことで、LTEシステムへの移行が失敗に終わった場合に、無線受信部５２で実施しているEVDOシステムとの同期維持の情報を用いて、すぐにEVDOシステムと接続を復元できる。これに対して、EVDOシステムとの同期をとっていない従来の技術においては、EVDOシステムとの同期取得から始まり接続再開まで数秒にわたる場合もあるため、その間に損失する送受信データ（パケット）の量が大きくなってしまう。従って、このような点において、無線受信部５２でEVDOシステムとの同期を維持しておくことに効果がある。
【００７６】
これにより、EVDOシステムからLTEシステムへ移行する際において、無線送受信部３２および無線受信部５２の同時使用によって元のEVDOシステムとの接続および同期を最大限維持しておくことで、データの損失を抑制することができる。その結果、２つ以上の無線通信方式を有する移動体通信システムに接続可能な場合に、第１の無線通信方式で接続または待ち受けしているとき、第１の無線通信方式による接続の切断時間を短く抑えつつ、第２の無線通信方式による接続に好適に切り替えることができる。
【００７７】
ところで、「第１の無線通信方式で待ち受けまたは情報の送受信を第１の無線部で実施している場合に第２の無線通信方式を起動するイベント」には、例えば任意のシステムによる待ち受け中に他のシステムのアタッチ処理時（すなわち、任意のシステムによる待ち受け中に他のシステムを開始するとき）も含まれる。そこで、任意のシステムによる待ち受け中に他のシステムのアタッチ処理時にも本発明を適用するようにしてもよい。なお、本発明の実施形態においては、例えば1x RTTシステムでの待ち受け中におけるLTEアタッチ処理時について明示的に説明する。以下、この方法を用いた本発明の第４実施形態について説明する。
【００７８】
［第４実施形態］
図１０のフローチャートを参照して、図２の移動無線端末１での1x RTTシステムでの待ち受け中におけるLTEアタッチ処理時における通信制御処理について説明する。なお、図１０の場合、通信制御処理のスタート時点において移動無線端末１は1x RTTシステムによる待ち受け中である。このとき、移動無線端末１は、1x RTTシステムで送信および受信をすることができるように無線送受信部３２を1x RTTシステムに設定し、例えば送信と受信の中心周波数に関するパラメータ、送信電力制御と受信利得制御に関するパラメータ、および送受信フィルタに関するパラメータなどを設定する。
【００７９】
ステップＳ１５１において、通信系制御部３９ａは、1x RTTシステムでの待ち受け中にLTEシステムを開始する（すなわち、LTEシステムの起動を開始する）か否かを判定し、1x RTTシステムでの待ち受け中にLTEシステムを開始すると判定するまで待機する。具体的には、例えば1x RTTシステムにより待け受けている移動無線端末１がLTEシステムを探索しなければならなくなった場合や、LTEシステムを探索だけでなく同期を取得して待ち受ける必要がある場合（基地局再選択）などに、通信系制御部３９ａは、1x RTTシステムでの待ち受け中にLTEシステムを開始すると判定する。ステップＳ１５１において通信系制御部３９ａが1x RTTシステムでの待ち受け中にLTEシステムを開始しないと判定した場合、移動無線端末１において1x RTTシステムでの待ち受け処理が継続される。
【００８０】
ステップＳ１５１において通信系制御部３９ａが1x RTTシステムでの待ち受け中にLTEシステムを開始すると判定した場合、通信系制御部３９ａはステップＳ１５２で、無線送受信部３２と無線受信部５２にそれぞれ指示を出し、無線送受信部３２と無線受信部５２を起動する。これにより、移動無線端末１におけるモードは、２系統無線部同時起動モードに移行する。なお、移動無線端末１においてすでに２つの無線部が起動されている場合には、この起動処理はスキップされる。また、移動無線端末１において１つの無線部しか起動されていない場合には、この起動処理が実行されて、２系統無線部同時起動モードに移行し、現在起動している無線部に加えてさらに１つの無線部が起動する。
【００８１】
ステップＳ１５３において、通信系制御部３９ａは、移動無線端末１におけるモードが２系統無線起動モードに移行すると、無線送受信部３２と無線受信部５２の両方を使用するように設定する。具体的には、通信系制御部３９ａは、無線送受信部３２および無線受信部５２を制御し、無線送受信部３２を1x RTTシステムに設定するとともに、無線受信部５２をLTEシステムに設定する。無線送受信部３２は、通信系制御部３９ａの制御に従い、1x RTTシステムによる無線信号を受信もしくは送受信できるように各種のパラメータを設定する。より具体的には、無線送受信部３２は、1x RTTシステムによる無線信号を受信もしくは送受信できるように例えば送信と受信の送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、LTEシステムによる無線信号を受信できるように各種のパラメータを設定する。より具体的には、無線受信部５２は、LTEシステムによる無線信号を受信できるように例えば送信と受信の中心周波数に関するパラメータ、送信電力制御と受信利得制御に関するパラメータ、および送受信フィルタに関するパラメータなどを設定する。
【００８２】
ステップＳ１５４において、通信系制御部３９ａは、信号処理部３３を制御し、無線送受信部３２で1x RTTシステムによる待ち受け処理を継続し、無線受信部５２でLTEシステムの同期処理を開始する。なお、無線受信部５２でLTEシステムの同期処理を行う場合、通信系制御部３９ａは、LTEシステムの基地局BSの電力を検出して同期チャネルに同期させる。
【００８３】
ステップＳ１５５において、通信系制御部３９ａは、LTEシステムとの同期取得が完了したか否かを判定する。ステップＳ１５５において通信系制御部３９ａが、LTEシステムとの同期取得が完了したと判定した場合、通信系制御部３９ａはステップＳ１５６で、無線送受信部３２でLTEシステムのアタッチ処理を実施するとともに無線受信部５２で1x RTTシステムによる待ち受け処理を継続するために、無線送受信部３２と無線受信部５２に設定された無線通信方式を切り替える。具体的には、無線送受信部３２は、通信系制御部３９ａの制御に従い、LTEシステムによる無線信号を受信もしくは送受信できるように各種のパラメータを設定する。すなわち、無線送受信部３２は、LTEシステムによる無線信号を受信もしくは送受信できるように例えば送信と受信の中心周波数に関するパラメータ、送信電力制御と受信利得制御に関するパラメータ、および送受信フィルタに関するパラメータなどを設定する。一方、無線受信部５２は、通信系制御部３９ａの制御に従い、1x RTTシステムによる無線信号を受信できるように各種のパラメータを設定する。すなわち、無線受信部５２は、1x RTTシステムによる無線信号を受信できるように例えば送信と受信の中心周波数に関するパラメータ、送信電力制御と受信利得制御に関するパラメータ、および送受信フィルタに関するパラメータなどを設定する。なお、通信系制御部３９ａは、無線受信部５２での無線通信方式を切り替える際、無線送受信部３２での1x RTTシステムによる待ち受け中に用いられていた送信と受信の中心周波数や同期タイミングなどの情報を無線受信部５２へ伝達する。これにより、無線受信部５２で即座に1x RTTシステムとの同期を取ることができ、待ち受け処理を継続することができる。
【００８４】
ステップＳ１５７において、通信系制御部３９ａは、無線送受信部３２と無線受信部５２の切替えを実施した後に信号処理部３３を制御し、無線送受信部３２でLTEシステムとのアタッチ処理（ネットワークへの移動無線端末１の参加処理）を行い、無線受信部５２で1x RTTシステムとの待ち受け処理を継続する。なお、無線受信部５２では1x RTTシステムによる待ち受け処理が維持される。これにより、後述するステップＳ１１５でLTEシステムとのアタッチ処理が失敗に終わった場合に、1x RTTシステムによる待ち受け状態に容易に復帰することができる。
【００８５】
一方、ステップＳ１５５において通信系制御部３９ａが、LTEシステムの同期取得が完了していないと判定した場合、通信系制御部３９ａはステップＳ１５８で、LTEシステムの同期取得に失敗したか否かを判定する。すなわち、通信系制御部３９ａは、LTEシステムの同期取得失敗条件を満たしたか否かを判定する。このLTEシステムの同期取得失敗条件としていくつかの条件を設定することができ、例えば同期取得処理を複数回（３回など）試行して成功しなかった場合や同期処理開始から同期が完了しないまま一定時間が経過した場合などをLTEシステムの同期取得失敗条件として設定することができる。ステップＳ１５８において通信系制御部３９ａがLTEシステムの同期取得に失敗したと判定した場合、通信系制御部３９ａは、LTEシステムの同期処理に失敗したと認識し、無線受信部５２と信号処理部３３に対してLTEシステムの同期処理をやめるように指示し、LTEシステムの同期処理を停止する。そして、通信系制御部３９ａは、これまでに無線送受信部３２で1x RTTシステムによる待ち受け処理を維持していることから、無線送受信部３２および信号処理部３３を制御し、1x RTTシステムによる待ち受け処理に戻る。
【００８６】
ステップＳ１５８において通信系制御部３９ａがLTEシステムの同期取得にまだ失敗していないと判定した場合、処理はステップＳ１５５に戻り、LTEシステムの同期取得失敗条件の範囲内でLTEシステムと同期を取得するまでLTEシステムの同期処理が実行される。
【００８７】
ステップＳ１５９において、通信系制御部３９ａは、LTEシステムとのアタッチ処理が成功したか否かを判定する。ステップＳ１５９において通信系制御部３９ａが、LTEシステムとのアタッチ処理に成功したと判定した場合、通信系制御部３９ａはステップＳ１６０で、LTEシステムを開始するための準備処理が完了したと認識し、無送受信部３２でLTEシステムによる待ち受け処理を実施する。このとき、通信系制御部３９ａは、移動無線端末１の状況に応じて、無線受信部５２で1x RTTシステムによる待ち受け処理を実施するようにしてもよい。また、通信系制御部３９ａは、必要に応じて無線受信部５２の起動を停止して、無線受信部５２を用いた1x RTTシステムとの処理を停止してもよい。一方、ステップＳ１５９において通信系制御部３９ａが、LTEシステムとのアタッチ処理が成功していないと判定した場合、通信系制御部３９ａはステップＳ１６１で、LTEシステムとのアタッチ処理に失敗したか否かを判定する。すなわち、通信系制御部３９ａは、LTEシステムアタッチ失敗条件を満たしたか否かを判定する。このLTEシステムアタッチ失敗条件としていくつかの条件を設定することができ、例えばLTEシステムのアタッチ処理を複数回試行して成功しなかった場合やアタッチ処理開始から接続が確立しないまま一定時間が経過した場合などをLTEシステムアタッチ失敗条件として設定することができる。さらに、アタッチがネットワーク側から拒否された場合に、移動無線端末１が緊急呼のみ許可されるモードに入った場合もアタッチ失敗条件として設定することも可能である。
【００８８】
ステップＳ１６１において通信系制御部３９ａがLTEシステムとのアタッチ処理に失敗したと判定した場合、通信系制御部３９ａはステップＳ１６２で、LTEシステムへの移行に失敗したと認識し、無線受信部５２を制御して1x RTTシステムの待ち受け処理を継続しながら、無線送受信部３２でLTEシステムとの待ち受け処理を継続する。ここで、1x RTTシステムとLTEシステムのそれぞれの待ち受け処理の際に、無線送受信部３２と無線受信部５２のどちらでも割り当てることも可能である。しかし、1x RTTシステムでのネットワークへのアタッチが完了しているためにサービスを受けられる状態である場合には、1x RTTシステムをLTEシステムよりも優先させ、無線送受信部３２を1x RTTシステムに設定し、無線受信部５２をLTEシステムに設定するようにしてもよい。これにより、副次的にLTEシステムによる待ち受け処理を実施させることができる。但し、いずれの場合においても、1x RTTシステムによる待ち受け処理をそのまま継続する。
【００８９】
一方、ステップＳ１６１において通信系制御部３９ａがLTEシステムとのアタッチ処理にまだ失敗していないと判定した場合、処理はステップＳ１５９に戻り、LTEシステムのアタッチ失敗条件の範囲内でLTEシステムとアタッチを完了するまでLTEシステムとのアタッチ処理が実行される。
【００９０】
以上のように、本発明の移動通信端末１は、無線送受信部３２と無線受信部５２の２つの無線部を使用して、1x RTTシステムによる待ち受け中にLTEシステムを探索して同期を取得するとともに待ち受けを実施する場合に、1x RTTシステムによる待ち受け処理を中断させることなく、LTEシステムへのアタッチ処理を実施することができる。
【００９１】
次に、図１１を用いて、図１０のフローチャートを用いて説明した1x RTTシステムでの待ち受け中におけるLTEアタッチ処理時における通信制御処理を移動無線端末１の主な構成要素ごとに時系列的に説明し、この効果について説明する。
【００９２】
図１１に示されるように、本発明に係る移動無線端末１の主な構成要素が記載されている。図１１の場合、左から第１のアンテナ３１と第１のアンテナ３１に接続される無線送受信部３２と、第２のアンテナ５１と第２のアンテナ５１に接続される無線受信部５２の動作状態を時系列的に示し、続いて信号処理部３３と制御部３９の動作状態が時系列的に示されている。
【００９３】
図１１に示されるように、1x RTTシステムでの待ち受け中におけるLTEアタッチ処理時における通信制御処理のスタート時に、移動無線端末１は、無線送受信部３２で1x RTTシステムによる待ち受け処理を実施している。このとき、通信系制御部３９ａがLTEシステムの開始であると判定した場合、通信系制御部３９ａは、無線送受信部３２と無線受信部５２の両方の無線部を使用するように設定する。無線送受信部３２は1x RTTシステムによる待ち受け処理を継続する。同時に、通信系制御部３９ａは、無線受信部５２を起動し、LTEシステムの同期を取得するためにLTEシステムに設定する。さらに、通信系制御部３９ａは、LTEシステムの同期処理を実施するために信号処理部３３に対してLTEシステムによる信号処理の起動を指示する。従って、LTEシステムとの同期取得を実施している際にも1x RTTシステムによる待ち受け処理が継続されているので、LTEシステムの同期取得の期間中においても、1x RTTシステムからの着信を受けることができる。
【００９４】
続いて、LTEシステムの同期取得が完了すると、通信系制御部３９ａは無線送受信部３２と無線受信部５２に切り替え指示を出す。無線送受信部３２は、通信系制御部３９ａの制御に従い、LTEシステムのアタッチ処理を開始する一方、無線受信部５２は、通信系制御部３９ａの制御に従い、1x RTTシステムとの待ち受け処理を継続する。このように、LTEシステムへの同期処理およびアタッチ処理中にも1x RTTシステムの待ち受け処理を実施しておくことで、LTEシステムへのアタッチの最中にも1x RTTシステムの着信を受けることが可能である。アタッチには数秒にわたるため、1x RTTシステムでの着信率の向上などの効果がある。また、LTEシステムへのアタッチが失敗に終わった場合に、例えば無線受信部５２で実施している1x RTTシステムの待ち受け処理を無線送受信部３２に引き継ぎ、1x RTTシステムによる待ち受け処理をそのまま継続して実施することができる。
【００９５】
これにより、1x RTTシステムによる待ち受け中にLTEシステムの同期を取得してアタッチした後待ち受け処理を実施するまでの一連の処理において、無線送受信部３２および無線受信部５２を同時使用し、かつシステムを適切に切り替えて1x RTTシステムとの待ち受け処理を維持しておくことで、1x RTTシステムでのサービスを継続することができるとともに、LTEシステムでアタッチが失敗に終わった場合においても、1x RTTシステムによる待ち受け処理を維持することができるため、移動無線端末１への着信率を向上させることができる。
【００９６】
なお、本発明の実施形態において説明した一連の処理は、ソフトウェアにより実行させることもできるが、ハードウェアにより実行させることもできる。
【００９７】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９８】
【図１】本発明に係る移動通信システムの構成を示す図。
【図２】本発明に係る移動無線端末の内部の構成を示すブロック図。
【図３】図２の移動無線端末でのCS Fallback動作時における通信制御処理を説明するフローチャート。
【図４】図３のフローチャートを用いて説明したCS Fallback動作時における通信制御処理を移動無線端末の主な構成要素ごとに時系列的に説明するシーケンス図。
【図５】図２の移動無線端末でのLTE Pagingにおける通信制御処理を説明するフローチャート。
【図６】図２の移動無線端末でのLTE Pagingにおける他の通信制御処理を説明するフローチャート。
【図７】図５のフローチャートを用いて説明したLTE Pagingにおける通信制御処理を移動無線端末の主な構成要素ごとに時系列的に説明するシーケンス図。
【図８】図２の移動無線端末でのEVDOシステムからLTEシステムへのハンドオーバー時における通信制御処理を説明するフローチャート。
【図９】図８のフローチャートを用いて説明したEVDOシステムからLTEシステムへのハンドオーバー時における通信制御処理を移動無線端末の主な構成要素ごとに時系列的に説明するシーケンス図。
【図１０】図２の移動無線端末での1x RTTシステムでの待ち受け中におけるLTEアタッチ処理時における通信制御処理を説明するフローチャート。
【図１１】図１０のフローチャートを用いて説明した1x RTTシステムでの待ち受け中におけるLTEアタッチ処理時における通信制御処理を移動無線端末の主な構成要素ごとに時系列的に説明するシーケンス図。
【符号の説明】
【００９９】
１…移動無線端末、３１…第１のアンテナ、３２…無線送受信部、３３…信号処理部、３４…ＰＣＭコーデック、３５…受話増幅器、３６…スピーカ、３７…送話増幅器、３８…マイクロホン、３９…制御部、４０…記憶部、４１…操作部、４２…表示部、４３…バッテリ、４４…電源回路、４５…時計回路、５１…第２のアンテナ、５２…無線受信部。
【図１】
2010098612.tif 000003
【図２】
2010098612.tif 000004
【図３】
2010098612.tif 000005
【図４】
2010098612.tif 000006
【図５】
2010098612.tif 000007
【図６】
2010098612.tif 000008
【図７】
2010098612.tif 000009
【図８】
2010098612.tif 000010
【図９】
2010098612.tif 000011
【図１０】
2010098612.tif 000012
【図１１】
2010098612.tif 000013